(57)【要約】【課題】放送受信装置において放送番組を表示できないときに、単に焼付き現象の防止にとどまらず、ユーザが見て楽しめる画像を表示することにある。具体的には、蓄積した静止画を表示と非表示を繰り返しながら表示したり、複数の静止画をスライドショー形式で表示したりすることができる放送受信装置を提供する。【課題を解決するための手段】番組などを正常に表示できないことを示す異常信号を取得する異常信号取得部と、カメラなどの外部装置から取得した静止画情報を蓄積するための静止画情報蓄積部と、番組などの映像情報を出力するための映像情報出力部と、異常信号取得部が異常信号を取得した場合に、映像情報出力部が前記番組などに代えて静止画情報蓄積部に蓄積されている静止画情報を出力するように制御する第一制御部とを有する放送受信装置を提供する。【選択図】図１４
2008193172.tif 000002
【特許請求の範囲】
【請求項１】
番組などを正常に表示できないことを示す異常信号を取得する異常信号取得部と、
カメラなどの外部装置から取得した静止画情報を蓄積するための静止画情報蓄積部と、
番組などの映像情報を出力するための映像情報出力部と、
異常信号取得部が異常信号を取得した場合に、映像情報出力部が前記番組などに代えて静止画情報蓄積部に蓄積されている静止画情報を出力するように制御する第一制御部と、
を有する放送受信装置。
【請求項２】
静止画情報蓄積部に静止画情報が複数画分含まれているか判断する判断部を有し、
第一制御部は、判断部での判断結果が複数含まれているとの判断結果である場合には映像情報出力部を静止画情報蓄積部に蓄積されている複数の静止画情報を用いてスライドショー形式で静止画情報を出力するように制御するスライド制御手段を有する請求項１に記載の放送受信装置。
【請求項３】
第一制御部は、判断部での判断結果が静止画情報が一枚分のみ含まれているとの判断結果である場合には映像情報出力部を含まれている一枚の静止画情報を所定の間隔で繰返し出力するように制御する繰返制御手段を有する請求項２に記載の放送受信装置。
【請求項４】
静止画情報蓄積部には工場出荷段階にて予め複数画分の静止画情報が蓄積されている請求項１又は２に記載の放送受信装置。
【請求項５】
番組などを正常に表示できない状態にあることを報知するための報知文字情報を保持する報知画像情報保持部と、
異常信号取得部が異常信号を取得した場合に、映像情報出力部が前記番組などに代えて出力されている前記静止画情報に重畳して前記報知文字情報を出力するように制御する第二制御部と、
を有する請求項１から４のいずれか一に記載の放送受信装置。
【請求項６】
カメラなどの外部装置から取得した静止画情報を蓄積するための静止画情報蓄積ステップと、
番組などを正常に表示できないことを示す異常信号を取得する異常信号取得ステップと、
前記異常信号取得ステップにて異常信号を取得した場合に、前記番組などに代えて静止画情報蓄積ステップにて蓄積された静止画情報を出力するように制御する第一制御ステップと、
を有する放送受信方法。
【発明の詳細な説明】
【技術分野】
【０００１】
本発明は、番組などを正常に表示できないことを示す異常信号を取得した場合に番組などに代えて静止画を出力するように制御する機能を有する放送受信装置に関する。
【背景技術】
【０００２】
放送受信装置においては、放送が受信できなかったり、受信した信号を適切に処理できなかったりするために、画面上に放送番組を正常に表示できない場合がある。このような場合、従来は一般に、青一色の画面や黒一色の画面が表示され（特許文献１段落［０００７］参照）、又はこれに加え、放送が受信できない旨の報知メッセージが表示されていた。
【特許文献１】特開２００６‐２５３９１９号公報
【０００３】
図１５は、かかる場合の従来の表示の一例を示す。本図では、黒一色の画面１５０１を表示した上に放送が受信できない旨の報知メッセージとして「放送が受信できません」という報知文字情報１５０２が表示されており、ユーザはこれにより放送が受信できないことや、少なくとも何らかの事情で番組を正常に表示できないことを知ることができる。
【発明の開示】
【発明が解決しようとする課題】
【０００４】
しかし、放送受信装置において放送番組を表示できないときに、単に青一色や黒一色の画面を表示した上に放送が受信できない旨の報知文字情報を表示するだけでは無味乾燥であるし、スクリーンの焼付き現象が生じるおそれがある。また、このような場合にスクリーンセーバを表示することも考えられるが、スクリーンの焼付き現象は防止できるものの、スクリーンセーバではパターン化した単純な動きの画像を表示するにすぎず、やはり無味乾燥であることには変わりはない。
【０００５】
そこで、本発明の解決すべき課題は、放送受信装置において放送番組を表示できないときに、単に焼付き現象の防止にとどまらず、ユーザが見て楽しめる画像を表示することにある。具体的には、蓄積した静止画を表示と非表示を繰り返しながら表示したり、複数の静止画をスライドショー形式で表示したりすることができる放送受信装置を提供することにある。
【課題を解決するための手段】
【０００６】
以上の課題を解決するため、本発明のうち、請求項１に記載の発明は、番組などを正常に表示できないことを示す異常信号を取得する異常信号取得部と、カメラなどの外部装置から取得した静止画情報を蓄積するための静止画情報蓄積部と、番組などの映像情報を出力するための映像情報出力部と、異常信号取得部が異常信号を取得した場合に、映像情報出力部が前記番組などに代えて静止画情報蓄積部に蓄積されている静止画情報を出力するように制御する第一制御部とを有する放送受信装置を提供する。また、請求項２に記載の発明は、静止画情報蓄積部に静止画情報が複数画分含まれているか判断する判断部を有し、第一制御部は、判断部での判断結果が複数含まれているとの判断結果である場合には映像情報出力部を静止画情報蓄積部に蓄積されている複数の静止画情報を用いてスライドショー形式での静止画情報を出力するように制御するスライド制御手段を有する請求項１に記載の放送受信装置を提供する。また、請求項３に記載の発明は、第一制御部は、判断部での判断結果が静止画情報が一枚分のみ含まれているとの判断結果である場合には映像情報出力部を含まれている一枚の静止画情報を所定の間隔で繰返し出力するように制御する繰返制御手段を有する請求項２に記載の放送受信装置を提供する。また、請求項４に記載の発明は、静止画情報蓄積部には工場出荷段階にて予め複数画分の静止画情報が蓄積されている請求項１又は２に記載の放送受信装置を提供する。また、請求項５に記載の発明は、番組などを正常に表示できない状態にあることを報知するための報知文字情報を保持する報知画像情報保持部と、異常信号取得部が異常信号を取得した場合に、映像情報出力部が前記番組などに代えて出力されている前記静止画情報に重畳して前記報知文字情報を出力するように制御する第二制御部とを有する請求項１から４のいずれか一に記載の放送受信装置を提供する。また、請求項６に記載の発明は、カメラなどの外部装置から取得した静止画情報を蓄積するための静止画情報蓄積ステップと、番組などを正常に表示できないことを示す異常信号を取得する異常信号取得ステップと、前記異常信号取得ステップにて異常信号を取得した場合に、前記番組などに代えて静止画情報蓄積ステップにて蓄積された静止画情報を出力するように制御する第一制御ステップとを有する放送受信方法を提供する。
【発明の効果】
【０００７】
本発明により、放送受信装置において放送番組を表示できないときに、単にスクリーンの焼付き現象の防止にとどまらず、ユーザが見て楽しめる画像を表示することが可能となる。具体的には、蓄積した静止画を表示と非表示を繰り返しながら表示したり、複数の静止画をスライドショー形式で表示したりすることができる放送受信装置を提供することが可能となる。
【発明を実施するための最良の形態】
【０００８】
以下に、本発明の実施例を説明する。実施例と請求項の相互の関係は以下のとおりである。実施例１は主に請求項１、請求項４、請求項６などに関し、実施例２は主に請求項２などに関し、実施例３は主に請求項３などに関し、実施例４は主に請求項５などに関する。なお、本発明はこれら実施例に何ら限定されるものではなく、その要旨を逸脱しない範囲において、種々なる態様で実施しうる。
【実施例１】
【０００９】
<概要>
本実施例の放送受信装置は、番組などを正常に表示できないことを示す異常信号を取得する手段と、カメラなどの外部装置から取得した静止画情報を蓄積するための手段と、番組などの映像情報を出力するための手段と、異常信号を取得した場合に番組などに代えて蓄積されている静止画情報を出力するように制御する手段とを有する放送受信装置である。
【００１０】
はじめに本発明の放送受信装置の概要について説明する。
図１４は、本発明の放送受信装置の目的及び全般的特徴を説明するための概念図である。本図の放送受信装置１４００は衛星放送受信機能を有する高画質・大画面のテレビジョン装置の例である。この場合において、例えば本図の上段に示すように、雨などの影響で衛星１４０１から受信する信号レベルが低下するなど、放送が受信できなかったり、受信した信号を適切に処理できなかったりする場合、かかる原因により、テレビジョン装置などの放送受信装置が番組などを正常に表示できなくなることがある。一方、本図に示すテレビジョン装置は、例えばデジタルカメラなどで撮影した高画質の静止画を自身の持つ高画質・大画面のディスプレイに表示することができるようにするため、静止画情報１４０２を蓄積する記憶装置（ハードディスクなど）１４０３を有している。そこで、本発明は、本図の下段に示すように、放送受信装置のかかる機能を有効利用して、ユーザが見て楽しめる画像を表示することを目的としている。このような目的を達成するために、本発明の放送受信装置１４００は、記憶装置１４０３に蓄積する静止画情報１４０２を利用して、放送受信装置において放送番組を表示できないときに、例えば蓄積した静止画を表示と非表示を繰り返しながら表示したり、複数の静止画をスライドショー形式で表示したりすることができるようにしたものである。このように、本発明の放送受信装置は、番組などを正常に表示できない場合に、蓄積された静止画情報を用いて、番組に代えて静止画１４０４を表示できるようにすることで、単にスクリーンの焼付き現象を防止するだけにとどまらず、ユーザが見て楽しめる画像を表示できるようにした点に特徴がある。
【００１１】
<構成>
（全般）
図１は、本実施例の放送受信装置の機能ブロックの一例を示す。本図に示すように、「放送受信装置」０１００は、「異常信号取得部」０１１０と、「静止画情報蓄積部」０１２０と、「映像情報出力部」０１３０と、「第一制御部」０１４０とを有する。
【００１２】
本発明における「放送受信装置」は、放送にかかる映像情報を受信して表示画面に映像を表示させるための出力を行う機能を有するものをいうが、後述のように静止画情報を蓄積するための記憶装置を備えていることが必要である。典型的にはＤＶＤなどを利用する記録再生装置が該当するが、静止画蓄積機能を有するテレビジョン装置、テレビジョン機能付携帯電話などであってもよい。
また、放送受信装置は自身が番組などの映像及び静止画を表示するためのディスプレイを備えるものであってもよいし、自身はディスプレイは備えず、装置外のディスプレイに表示するための出力を行うものであってもよい。また、これも後述するように、本発明は、高解像度のデジタルカメラで撮影した高画質の画像を高画質・大画面のテレビジョン装置で見るためなどに放送受信装置に蓄積された静止画情報を有効利用する装置を前提とし、これに以下に説明する本発明特有の機能を付加した点に特徴がある。このため、放送受信装置自身がディスプレイを備える場合には、当該ディスプレイは高画質・大画面であることが望ましい。同様に、装置外のディスプレイを利用する場合にも、当該ディスプレイは高画質・大画面であることが望ましい。
【００１３】
（異常信号取得部）
「異常信号取得部」は、番組などを正常に表示できないことを示す「異常信号」を取得するように構成されている。ここでいう「番組を正常に表示できない」場合としては、大別して二つの場合がある。一つは、放送信号を正常に受信できないためにその当然の結果として番組を正常に表示できない場合であり、もう一つは、放送信号の受信はできるが放送番組を表示画面に表示することができない場合である。前者は、例えば、衛星放送受信のためのアンテナが接続されていない場合や、衛星の機器保守のための放送休止の場合、雨などの影響で衛星から受信する信号レベルが低下する場合、そもそも放送を行っていないチャンネルが選局されている場合、一日の放送終了後の場合などが該当する。また、後者は、受信した放送信号を復号化できない場合、復号化はできるが圧縮された映像信号の伸長やディスプレイへの映像信号の出力ができない場合、回路故障や有料放送の料金未納などの障害によりデータが潰れていて利用可能な状態になっていない場合などが該当する。
【００１４】
「異常信号」の取得は、例えば放送信号を正常に受信できない場合であれば、チューナが放送信号の信号レベルが異常であることを検知した場合に、そのことを示す異常信号を生成して異常信号取得部に対して送信し、これを異常信号取得部が取得するという構成が考えられる。この場合、チューナは放送受信装置自身が有するものであっても、装置外のものであってもよい。また、例えば受信した放送信号を復号化できない場合であれば、デコーダが復号化した信号レベルが異常であることを検知した場合に、そのことを示す異常信号を生成して異常信号取得部に対して送信し、これを異常信号取得部が取得するという構成が考えられる。この場合も、デコーダは放送受信装置自身が有するものであっても、装置外のものであってもよい。
信号レベルが異常な場合としては、信号が全く受信されない場合と、全く受信されないわけではないが信号レベルが低い（番組を正常に表示できないレベルにとどまっている）場合とがあり得る。例えば、衛星放送受信のためのアンテナが接続されていない場合には、衛星からの放送信号は全く受信されないことになる。
【００１５】
（静止画情報蓄積部）
「静止画情報蓄積部」は、カメラなどの外部装置から取得した静止画情報を蓄積するためのものである。この静止画情報蓄積部の本来の機能は、高解像度のデジタルカメラで撮影した高画質の画像に係る画像情報を高画質・大画面のテレビジョン装置で見るためにこれを記憶装置に蓄積することにある。
即ち、近年高解像度のデジタルカメラが普及し、撮影した高画質の画像に係る画像情報をパソコンなどに蓄積するとともに、その画像をディスプレイに表示して楽しむということが広く行われるようになってきた。そこで、折角高画質の画像に係る画像情報を蓄積するのであれば、この画像をディスプレイに表示する際にも、高画質・大画面のディスプレイに表示したいというニーズが当然発生することになる。この場合に、かかる高画質・大画面のディスプレイを有するパソコンも存在はしているが、ユーザがパソコンを購入する際には、その機能として演算処理速度、記憶容量、携帯の容易性などにも着目して選択することが通常であり、単に高画質・大画面のディスプレイを有するとの理由だけで購入することは比較的稀であると考えられることから、かかる高画質・大画面のディスプレイを有するパソコンが急速に普及するとは考えにくい。
【００１６】
これに対し、ＤＶＤ記録再生装置やテレビジョン装置の場合は、高画質・大画面のディスプレイに映像を表示して楽しむことが主たる目的の一つであると考えられており、かかる高画質・大画面のディスプレイを備えたテレビジョン装置などが急速に普及しつつある。そこで、かかる状況に鑑み、高解像度のデジタルカメラで撮影した高画質の画像に係る画像情報を蓄積する機能を有し、この画像を高画質・大画面のディスプレイに表示して楽しむことのできるテレビジョン装置なども登場し始めており、今後急速に普及することが見込まれる。
この場合、折角このような高画質の画像を高画質・大画面のディスプレイに表示するための静止画情報蓄積機能を備えるのであれば、その本来の目的に用いるだけでは勿体ないといえる。そこで、本発明は、本来上のような目的で放送受信装置に蓄積された静止画情報を、番組などを正常に表示できない場合に、番組の代わりにユーザが見て楽しめるようにディスプレイに表示することを可能にすることで、この静止画情報蓄積機能及びそこに蓄積される静止画情報を有効利用しようとするものである。
【００１７】
静止画情報の蓄積は放送受信装置の記憶装置に記憶されることにより行われる。この記憶装置は、ハードディスクなどの外部記憶装置であってもよい。複数画分の静止画情報を蓄積する場合には、これらをファイルとして管理することが適切である。その際、それぞれのファイルに属性を与えてファイル管理を行うようにしてもよい。こうすることにより、異常信号取得部が異常信号を取得した場合に、映像情報出力部が前記番組などに代えて静止画情報蓄積部に蓄積されている静止画情報を出力するように制御する際に、異常信号の種類（例えば送信元がチューナかデコーダかの区別）に応じて異なった静止画を表示するための制御を行うことができるようになる。例えば、そもそも放送信号が受信できない場合は風景に関する静止画を表示し、放送信号は受信されているが受信はできるが放送番組を表示画面に表示することができない場合は動物に関する静止画を表示することなどが該当する。かかる区別された表示を行うことで、どのような静止画が表示されているかを見るだけで、異常信号の中身、換言すれば番組などを正常に表示できない原因が放送信号を受信できないためなのか、受信はできるが表示ができないためであるのかをユーザが知ることができる。
また、同様の構成により、異常信号取得部が異常信号を取得した場合に出力しない静止画情報を蓄積するファイルを設けてもよい。これは、例えば来客と一緒にテレビを視聴中に放送が受信できなくなった場合には静止画として表示したくないものを予め除外することなどを目的とする。
【００１８】
具体的な蓄積方法の一例としては、例えば、ＩｒＳＳ（ＩｒＳｉｍｐｌｅＳｈｏｔ）方式によりカメラ付き携帯電話機から送信される画像情報を放送受信装置が受信して蓄積するといったものが挙げられる。
また、静止画情報蓄積部には放送受信装置の工場出荷段階において予め一枚分又は複数画分の静止画情報が蓄積されているようにしてもよい。これは主に、未だ購入後のユーザ操作により静止画情報が蓄積されていないときであっても、異常信号取得部が異常信号を取得した場合に静止画情報を出力することができるようにすることを目的とする。特に、複数画分蓄積する場合には、後述のスライドショー形式による出力が可能となる。
【００１９】
（映像情報出力部）
「映像情報出力部」は、番組などの映像情報を出力するためのものである。映像情報の出力にかかる構成自体は、公知技術を利用して行われるので詳細な説明は省略するが、例えばデジタル放送の場合、ＭＰＥＧ方式により符号化されたデジタル放送信号中に含まれる映像信号をデコーダにより復号化処理を行って得られた映像情報をディスプレイに出力する。
また、後述のように、映像情報出力部は、異常信号取得部が異常信号を取得した場合には、前記番組などに代えて静止画情報蓄積部に蓄積されている静止画情報を出力するように構成されている。この出力は、次に述べる第一制御部の行う制御に基づいて行われる。
【００２０】
（第一制御部）
「第一制御部」は、異常信号取得部が異常信号を取得した場合に、映像情報出力部が前記番組などに代えて静止画情報蓄積部に蓄積されている静止画情報を出力するように制御するように構成されている。
この制御の内容としては、例えば静止画情報蓄積部に静止画が一枚分だけ蓄積されている場合には、青一色の画面又は黒一色の画面と、当該一枚の静止画とを、一定時間ごとに交互に表示するように制御するものが考えられる。また、当該一枚の静止画を画面内で移動させつつ表示してもよい。これらはいずれもスクリーンの焼付き現象を防止するための方法である。
あるいは、例えば静止画情報蓄積部に静止画情報が複数画分蓄積されている場合には、スライドショー形式による出力を行うようにすることが望ましい。これは、スクリーンの焼付き現象の防止に加えユーザが見て楽しめる画像を表示するという本発明の目的に照らせば、かかるスライドショー形式によって様々な静止画を表示する方がより一層目的に適うからである。かかる場合の制御にかかる具体的構成については、別の実施例として後述する。
【００２１】
（表示画面の一例）
図２は、放送受信装置が異常信号を取得した場合にディスプレイに表示される表示画面の一例を示す図である。
本図に示す例では、このような異常信号の取得があった場合に、放送受信装置は、ディスプレイに静止画０２０１を表示した上に、放送が受信できない旨の報知メッセージである報知文字情報０２０２を表示する。ただし、本実施例においては、報知文字情報を静止画と重畳して表示することは必須ではない。
この場合、静止画情報蓄積部に蓄積されている静止画情報が本図に示す一枚の静止画に係る分だけの場合は、スクリーンの焼付き現象を防止するため、例えば青一色の画面又は黒一色の画面と、当該一枚の静止画とを一定時間ごとに交互に表示するようにしてもよい。一方、静止画情報蓄積部に静止画情報が複数画分蓄積されている場合には、スライドショー形式による出力を行うようにすることが望ましい。
【００２２】
また、いずれの場合にあっても、放送が受信できない旨の報知文字情報は、同様にスクリーンの焼付き現象の防止のため、一定の短時間（例えば５秒間）だけ表示した後表示を消すようにしたり、一定の短時間ごとに表示と非表示を繰り返すようにしたりすることが望ましい。また、スライドショー形式での表示を行う場合は、報知文字情報は静止画の切り換わりの都度一定の短時間だけこれを表示した後その表示を消すという動作を繰り返すようにしてもよい。なお、この放送が受信できない旨の報知文字情報の表示画面上の表示位置は任意に設定できるようにしてもよい。この場合、焼付き現象の防止のために上のように表示と非表示を繰り返す代わりに表示位置を短時間ごとに変化させるようにしてもよい。
なお、報知文字情報は、文字だけである必要はなく、これに加えマークや模様などが付加されていてもよい。図２の例も、文字のほかに警告マークが付加されている例である。
【００２３】
（ハードウェア構成）
次に、本実施例の放送受信装置のハードウェア構成について説明する。
図３は本実施例の放送受信装置のハードウェア構成の一例を示す概略図である。
本図に示すように、本実施例の放送受信装置の異常信号取得部と、静止画情報蓄積部と、映像情報出力部はそれぞれ「記憶装置（記録媒体）」０３０１と、「メインメモリ」０３０２と、「ＣＰＵ」０３０３と、「Ｉ／Ｏ」０３０４などから構成される。第一制御部は、「記憶装置（記録媒体）」と、「メインメモリ」と、「ＣＰＵ」などから構成される。なお、本実施例の放送受信装置は、本図に示すように、Ｉ／Ｏを介して「ディスプレイ」０３０５を有していてもよい。これらは「システムバス」０３０６などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では異常信号取得プログラムと、映像情報出力プログラムと、静止画出力制御プログラムが記憶装置に記憶されており、これらのプログラムは例えば電源投入とともに自動的に記憶装置から読み出されてメインメモリに常駐する。
【００２４】
まず、静止画の蓄積にかかるハードウェア構成の一例について説明する。ＣＰＵは、Ｉ／Ｏを介してカメラなどの外部装置から静止画情報を取得し、取得した静止画情報について、例えば画像圧縮処理を行った後、かかる圧縮された画像データとして当該静止画情報をいったんメインメモリに格納した後、記憶装置に記憶しておく。この記憶装置は、ハードディスクなどの外部記憶装置であってもよい。
その際、既述のように複数の静止画情報のうちどれを出力するかを状況に応じて選択できるようにするため、これらをファイルの属性ごとに管理するようにしてもよい。例えば、そもそも放送信号が受信できない場合に出力する静止画と、受信はされているがディスプレイに番組を表示することができない場合に出力する静止画とを区別するため、これらをファイルの属性ごとに管理することが考えられる。ただし、ここでは、記憶装置に一枚の静止画分の静止画情報だけが記憶される例で説明する。
【００２５】
あるいは、本例と異なり、予め記憶装置に一枚分又は複数画分の静止画情報を蓄積しておいてもよい。これは例えば放送受信装置である記録再生装置やテレビジョン装置の工場出荷時に、ハードディスクなどに静止画情報を蓄積しておくことにより実行される。
また、ＣＰＵは、平常時、即ち、放送信号が正常に受信され、かつディスプレイに映像を正常に表示可能な状態のときは、映像情報出力プログラムを実行して受信した映像信号を復号化し、Ｉ／Ｏを介してディスプレイに出力する処理を行う。
【００２６】
次に、異常信号の取得にかかるハードウェア構成の一例について説明する。例えば放送信号が正常に受信できない場合、ＣＰＵは、異常信号取得プログラムの定める手順に従い、図示を省略したチューナなどからＩ／Ｏを介して当該異常信号を示す情報（異常信号情報）を取得し、メインメモリにいったん格納する。また、受信はできるがディスプレイに正常に表示できないという場合は、ＣＰＵは、異常信号取得プログラムの定める手順に従い、図示を省略したデコーダなどからＩ／Ｏを介して異常信号情報を取得し、メインメモリにいったん格納する。
【００２７】
次に、放送受信装置が異常信号情報を取得して静止画情報を出力するための制御にかかるハードウェア構成の一例について説明する。この場合、ＣＰＵは、静止画出力制御プログラムを実行し、当該プログラムの規定する手順に従い、まず、チューナなどからＩ／Ｏを介して取得した異常信号情報をメインメモリにいったん格納する。次に、ＣＰＵはメインメモリに異常信号情報が格納されている場合には静止画情報を出力するとの当該プログラム手順に従い、記憶装置に記憶されている静止画情報をメインメモリに読み出していったん格納する。本例では、静止画情報は一枚の画像分だけ記憶されているので、この一枚の画像分の静止画情報がメインメモリに読み出されていったん格納される。
【００２８】
次に、ＣＰＵは、静止画情報をディスプレイに静止画として表示できるようにするため、当該情報を伸張する処理を行う。そして、ＣＰＵは、当該処理を行った静止画情報をディスプレイに出力する。これによりディスプレイへの静止画の表示が可能となる。
その際、スクリーンの焼付き現象防止のため、一定の短時間（例えば５秒間）だけ静止画を表示した後、これを消すことにより青一色の画面又は黒一色画面を表示し、さらに一定の短時間当該青一色の画面等を表示した後、再び静止画を一定の短時間表示するという動作を繰り返す場合は、ＣＰＵは、かかる動作を例えば内蔵する時計機能を利用して行う。
なお、静止画と合わせて、放送が受信できない旨の報知文字情報を画面に表示してもよいが、かかる場合の構成については、別の実施例として後述する。
【００２９】
<処理の流れ>
図４は、本実施例の放送受信装置における処理の流れの一例を示す図である。
本図に示すように、まず、静止画情報の蓄積ステップＳ０４０１において、放送受信装置は、カメラなどの外部装置から静止画情報を取得して記憶装置に蓄積する。
次に、異常信号の取得があったか否かの判断ステップＳ０４０２において、放送受信装置は、チューナ等からの異常信号が取得されたか否かの判断を行い、取得されたとの判断結果の場合には、次の第一制御ステップＳ０４０３の処理に進む。
そして、第一制御ステップＳ０４０３において、放送受信装置は、前記番組などに代えて、前記静止画情報蓄積ステップＳ０４０１にて蓄積された静止画を出力するように制御する。具体的には、当該ステップは、例えば、静止画情報の読出しステップＳ０４０４、読み出した静止画情報の伸張ステップＳ０４０５、伸張された静止画情報のディスプレイへの出力ステップＳ０４０６といったサブステップからなる。
かかる処理により、静止画をディスプレイに表示することが可能となる。
【００３０】
<効果>
本実施例の発明により、放送受信装置において放送番組を表示できないときに、単にスクリーンの焼付き現象の防止にとどまらず、ユーザが見て楽しめる画像を表示することが可能となる。具体的には、蓄積した静止画を表示と非表示を繰り返しながら表示したり、複数の静止画をスライドショー形式で表示したりすることができる放送受信装置を提供することが可能となる。
【実施例２】
【００３１】
<概要>
本実施例の放送受信装置は、基本的に実施例１と共通する。ただし、本実施例の装置は、静止画情報蓄積部に静止画情報が複数画分含まれているか判断する手段を有し、複数含まれているとの判断結果である場合には、この複数の静止画情報を用いてスライドショー形式で静止画情報を出力するように制御する手段を有する点に特徴がある。
【００３２】
<構成>
（全般）
図５は、本実施例の放送受信装置の機能ブロックの一例を示す。本図に示すように、本実施例の「放送受信装置」０５００は、基本的に実施例１の装置と共通するが、これに加えて「判断部」０５５０を有するとともに、「第一制御部」０５４０は、「スライド制御手段」０５４１を有する。
【００３３】
（判断部）
「判断部」は、静止画情報蓄積部に静止画情報が複数画分含まれているか判断するように構成されている。
（スライド制御手段）
また、「スライド制御手段」は、判断部での判断結果が、複数含まれているとの判断結果である場合にはこの複数の静止画情報を用いてスライドショー形式で静止画情報を出力するように制御するように構成されている。
「スライドショー形式」とは、複数の静止画を短時間ごと（例えば５秒ごと）に切り換えながら表示する表示スタイルをいう。その目的は、スクリーンの焼付き現象の防止を図るとともにユーザが見て一層楽しめるようにすることにある。
【００３４】
（ハードウェア構成）
次に、本実施例の放送受信装置のハードウェア構成について説明する。
図６は本実施例の放送受信装置のハードウェア構成の一例を示す概略図である。本実施例の放送受信装置のハードウェア構成は、基本的に実施例１の放送受信装置のハードウェア構成と共通する。ここでは、本実施例の放送受信装置の特徴である、判断部が静止画情報蓄積部に静止画情報が複数画分含まれているか判断するとともに、判断部での判断結果が、複数含まれているとの判断結果である場合にスライド制御手段がこの複数の静止画情報を用いてスライドショー形式で静止画情報を出力するように制御するためのハードウェア構成を中心に説明する。その余の構成は、実施例１と同様であるので、説明を省略する。
【００３５】
判断部は、「記憶装置（記録媒体）」０６０１と、「メインメモリ」０６０２と、「ＣＰＵ」０６０３と、「Ｉ／Ｏ」０６０４などから構成される。これらも「システムバス」０６０６などのデータ通信経路によって相互に接続され、情報の送受信や処理を行う。
この場合も、ＣＰＵが異常信号を取得した場合には、ＣＰＵは、実施例１と同様の構成により、まず異常信号情報をメインメモリにいったん格納し、記憶装置に記憶されている静止画情報をメインメモリに読み出していったん格納する。
【００３６】
一方、記憶装置には予め、蓄積されている静止画情報が複数画分含まれているか判断するための判断プログラムが記憶されており、例えば電源投入とともにメインメモリに読み出されて常駐している。そこで次に、ＣＰＵは、当該判断プログラムを実行して、まず、記憶装置に記憶されメインメモリに読み出されているファイル管理情報を取得して、当該情報に基づいて記憶装置に記憶されている静止画情報が複数画分であるかを判断する。
【００３７】
この判断は、例えばファイル管理情報として取得した静止画情報のファイル数を見ることにより可能である。その結果、静止画情報が複数画分であると判断した場合には、当該判断結果をいったんメインメモリに格納する。
【００３８】
次に、ＣＰＵは、静止画出力制御プログラムを実行して、メインメモリに格納されている判断結果を読み出す。本実施例の静止画出力制御プログラムは、判断結果が静止画情報が複数画分であるとの場合にはこの複数画分の静止画情報を用いてスライドショー形式で静止画情報を出力するように制御せよとの命令を含んでいる。そこで、ＣＰＵは、当該プログラムの手順に従い、記憶装置に記憶されているスライドショー形式で出力するための複数画分の静止画情報をメインメモリに読み出した後、この静止画情報を用いてスライドショー形式で出力するように制御を行う。この場合、静止画情報の出力順序はアトランダムでもよいし、予め定められた所定のルール（例えばファイルの名称に含まれる番号の昇順によるといったルール）に従ってもよい。また、静止画の切換えは、予め定められた短時間（例えば５秒間）ごとに行うことがこれもルールで定められており、ＣＰＵは、例えば内蔵する時計機能を利用して、このルールに従って切換えを行うことで、スライドショー形式の静止画の表示が可能となる。
【００３９】
<処理の流れ>
図７は、本実施例の放送受信装置における処理の流れの一例を示す図である。本実施例の処理の流れは、基本的に実施例１と共通する。ただし、本実施例においては、判断ステップＳ０７０３において、放送受信装置は、蓄積されている静止画情報が複数画分含まれているか否かの判断を行い、複数画分含まれているとの判断結果の場合には、第一制御ステップＳ０７０４における処理に進むところ、当該ステップＳ０７０４は以下のサブステップを有する。
まず、静止画情報の読出しステップＳ０７０５において、放送受信装置は、当該蓄積されている複数画分の静止画情報を読み出す。次に、静止画情報の伸張ステップＳ０７０６において、放送受信装置は、当該複数画分の静止画情報について伸張処理を行う。さらに、静止画情報の出力ステップＳ０７０７において、放送受信装置は、静止画情報を出力するが、当該出力はスライドショー形式での静止画の表示がなされるように行う。
かかる処理により、静止画をディスプレイにスライドショー形式にて表示することが可能となる。
その余の処理の流れは、実施例１における処理の流れと共通するので説明を省略する。
【００４０】
<効果>
本実施例の発明により、放送受信装置において放送番組を表示できないときに、単にスクリーンの焼付き現象の防止にとどまらず、ユーザが見て楽しめる画像を表示することが可能となる。具体的には、複数の静止画をスライドショー形式にて表示ことを可能にする放送受信装置を提供することが可能となる。
【実施例３】
【００４１】
<概要>
本実施例の放送受信装置は、実施例２と基本的に共通する。ただし、本実施例の放送受信装置の第一制御部は、実施例２で述べたスライド制御手段に加え、判断部での判断結果が静止画情報が一枚分のみ含まれているとの判断結果である場合には映像情報出力部を含まれている一枚の静止画情報を所定の間隔で繰返し出力するように制御する手段を有する。即ち、本実施例の放送受信装置は、静止画情報が複数画分か一枚分かの判断結果に応じて、静止画情報をスライドショー形式で出力するか所定の間隔で繰返し出力するかを区別して制御するように構成されている点に特徴がある。
【００４２】
<構成>
（全般）
図８は本実施例の放送受信装置の機能ブロックの一例を示す図である。本図に示すように、本実施例の「放送受信装置」０８００は、基本的に実施例２の装置と共通するが、「第一制御部」０８４０は、「スライド制御手段」０８４１に加えさらに「繰返制御手段」０８４２を有する。
【００４３】
（繰返制御手段）
「繰返制御手段」は、「判断部」０８５０での判断結果が静止画情報が一枚分のみ含まれているとの判断結果である場合には映像情報出力部を含まれている一枚の静止画情報を所定の間隔で繰返し出力するように制御するように構成されている。
これは、一枚の静止画が表示され続けることでスクリーンの焼付き現象が生じることを防止することを目的とする。従って「所定の間隔」はかかる焼付き防止に役立つ程度の短時間であることが望ましい。具体的な間隔は、かかる観点から予め決定される。
静止画情報を所定の間隔で繰返し出力する方法としては、例えば、静止画と、青一色又は黒一色の画面を交互に短時間ずつ表示するように出力する方法が考えられる。
【００４４】
（ハードウェア構成）
次に、本実施例の放送受信装置のハードウェア構成について説明する。
図９は本実施例の放送受信装置のハードウェア構成の一例を示す概略図である。本実施例の放送受信装置のハードウェア構成は、基本的に実施例２の放送受信装置のハードウェア構成と共通する。ここでは、本実施例の放送受信装置の特徴である、判断部が静止画情報蓄積部に静止画情報が複数画分含まれているか判断するとともに、判断部での判断結果が、静止画情報が一枚分のみ含まれているとの判断結果である場合には映像情報出力部を含まれている一枚の静止画情報を所定の間隔で繰返し出力するように制御するためのハードウェア構成を中心に説明する。その余の構成は、実施例２と同様であるので、説明を省略する。
【００４５】
この場合も、ＣＰＵが異常信号を取得した場合には、ＣＰＵは、判断プログラムを実行して、メインメモリに読み出していったん格納した静止画情報が複数画分であるかを判断する。具体的には、実施例１と同様、例えばメインメモリに読み出されているファイル管理情報を取得して、当該情報に基づいて記憶装置に記憶されている静止画情報が複数画分であるかを判断する。その結果、静止画情報が複数画分でないと判断した場合には、引き続き同じ要領で、静止画情報が一枚分であるかを判断する。その結果、静止画情報が一枚分であると判断した場合には、当該判断結果をいったんメインメモリに格納する。
【００４６】
次に、ＣＰＵは、静止画出力制御プログラムを実行して、メインメモリに格納されている判断結果を読み出す。本実施例の静止画出力制御プログラムは、判断結果が静止画情報が一枚分であるとの場合にはこの一枚分の静止画情報を所定の間隔で繰返し出力するように制御せよとの命令を含んでいる。そこで、ＣＰＵは、当該プログラムの手順に従い、メインメモリに格納されている静止画情報を読み出し、この静止画情報を所定の間隔で繰返し出力する。この場合、所定の間隔は予めルールで定められており、ＣＰＵは、例えば内蔵する時計機能を利用して、このルールに従って表示・非表示を繰り返すことで、かかる表示が可能となる。
【００４７】
<処理の流れ>
図１０は、本実施例の放送受信装置における処理の流れの一例を示す図である。本実施例の処理の流れは、基本的に実施例２と共通する。ただし、本実施例においては、静止画情報が複数画分含まれているか否かの判断ステップＳ１００３において放送受信装置が当該判断を行った結果、複数画分含まれていないとの判断結果の場合には、続いて静止画情報が一枚分含まれているか否かの判断ステップＳ１００８に進み、当該ステップにおける判断を行う。この結果、一枚分含まれているとの判断結果の場合には、第一制御ステップ（所定の間隔で繰返し出力の制御）ステップＳ１００９に進み、まず静止画情報の読出しステップＳ１０１０において、放送受信装置は、当該一枚分の静止画情報を読み出す。次に、静止画情報の伸張ステップＳ１０１１において、放送受信装置は、当該一枚分の静止画情報について伸張処理を行う。さらに、静止画情報の出力ステップＳ１０１２において、放送受信装置は、静止画情報を出力するが、当該出力はこの一枚分の静止画情報を所定の間隔で繰返し出力するように行う。
その余の処理の流れは、実施例２における処理の流れと共通するので説明を省略する。
かかる処理により、一枚の静止画をディスプレイに所定の間隔で繰返し表示することが可能となる。
【００４８】
<効果>
本実施例の発明により、放送受信装置において放送番組を表示できないときに、単にスクリーンの焼付き現象の防止にとどまらず、ユーザが見て楽しめる画像を表示することが可能となる。具体的には、一枚の静止画を所定の間隔で繰返し表示ことを可能にする放送受信装置を提供することが可能となる。
【実施例４】
【００４９】
<概要>
本実施例の放送受信装置は、実施例１などの放送受信装置と基本的に共通するが、番組などを正常に表示できない状態にあることを報知するための報知文字情報を保持する手段と、異常信号取得部が異常信号を取得した場合に、映像情報出力部が番組などに代えて出力されている静止画情報に重畳して報知文字情報を出力するように制御する手段とを有する点に点特徴がある。
【００５０】
<構成>
（全般）
図１１は、本実施例の放送受信装置の機能ブロックの一例を示す図である。本例の放送受信装置は実施例１の装置と基本的に共通する。ただし、本図に示すように本例の「放送受信装置」１１００は、「報知画像情報保持部」１１６０と、「第二制御部」１１７０をさらに有する。
また、図示は省略したが、本実施例の放送受信装置は、さらに、静止画情報蓄積部に静止画情報が複数画分含まれているか判断する判断部を有し、第一制御部は、判断部での判断結果が複数含まれているとの判断結果である場合には映像情報出力部を静止画情報蓄積部に蓄積されている複数の静止画情報を用いてスライドショー形式で静止画情報を出力するように制御するスライド制御手段を有するものであってもよい。あるいは、この場合に、さらに静止画情報蓄積部に工場出荷段階にて予め複数画分の静止画情報が蓄積されているものであってもよい。
また、これも図示は省略したが、本実施例の放送受信装置は、上に加えさらに、第一制御部は、判断部での判断結果が静止画情報が一枚分のみ含まれているとの判断結果である場合には映像情報出力部を含まれている一枚の静止画情報を所定の間隔で繰返し出力するように制御する繰返制御手段を有するものであってもよい。
【００５１】
（報知画像情報保持部）
「報知画像情報保持部」は、番組などを正常に表示できない状態にあることを報知するための報知文字情報を保持するように構成されている。「番組などを正常に表示できない状態」である場合に大別して放送信号を正常に受信できないためにその当然の結果として番組を正常に表示できない場合と、受信はできるが放送番組を表示画面に表示することができない場合の二通りの場合があることは実施例１で説明したとおりである。従って、本実施例の報知文字情報もこの両方の場合を対象として番組などを正常に表示できない状態にあることを報知するためのものである。
報知文字情報は、例えば図１で示したような「放送が受信できません」といった放送を受信できないことの文字による報知メッセージである。
【００５２】
本実施例の報知文字情報の表示の目的は、このように番組などを正常に表示できない状態にあることをユーザに報知することが第一義であるが、本発明において静止画とともに表示する場合においては、静止画が何のために表示されているのかの注意をユーザに促すことにも資するものである。即ち、例えばあるユーザが本発明の放送受信装置であるテレビジョン装置を視聴中静止画が表示された場合、番組を表示できなくなった場合には番組に代えて静止画が表示されるという当該装置の仕組みを知らなかったり、忘れていたりするユーザにとっては、静止画を表示しただけでは何が起こったのかわからずに当惑するということも考えられなくもない。そこで、本実施例の報知文字情報を合わせて表示することで、かかるユーザであっても静止画が表示されたことの意味がわかるので、当惑することはなくなると考えられる。
また、上述のように「番組などを正常に表示できない状態」である場合に大別して二通りの場合があることに対応して、報知文字情報の内容は、「放送が受信できません」、「番組を表示できません」といったように、状況によって使い分けができるよう、報知画像情報保持部が複数の種類の報知文字情報を保持するようにしてもよい。
【００５３】
（第二制御部）
「第二制御部」は、異常信号取得部が異常信号を取得した場合に、映像情報出力部が番組などに代えて出力されている静止画情報に重畳して報知文字情報を出力するように制御するように構成されている。
この制御の内容としては、実施例１で述べたように、報知文字情報は静止画の切り換わりの都度一定の短時間だけ表示した後表示を消すという動作を繰り返すように制御するものが考えられる。また、一枚の静止画情報を所定の間隔で繰返し表示する場合は、報知文字情報は一定の短時間（例えば５秒間）だけ表示した後表示を消すようにしたり、一定の短時間ごとに表示と非表示を繰り返すようにしたりしてもよいし、あるいはこれに代えて報知文字情報の表示位置を短時間ごとに変化させるようにしてもよい。
【００５４】
（ハードウェア構成）
次に、本実施例の放送受信装置のハードウェア構成について説明する。
図１２は、本実施例の放送受信装置のハードウェア構成の一例を示す概略図である。本実施例の放送受信装置のハードウェア構成は、基本的に実施例１などの放送受信装置のハードウェア構成と共通する。ここでは、本実施例の放送受信装置の特徴である、番組などを正常に表示できない状態にあることを報知するための報知文字情報を保持するとともに、異常信号取得部が異常信号を取得した場合に、映像情報出力部が番組などに代えて出力されている静止画情報に重畳して報知文字情報を出力するように制御するためのハードウェア構成を中心に説明する。その余の構成は、実施例１と同様であるので、説明を省略する。
【００５５】
報知画像情報保持部は、「記憶装置（記録媒体）」１２０１と、「メインメモリ」１２０２と、「ＣＰＵ」１２０３と、「Ｉ／Ｏ」１２０４などから構成される。第二制御部は、「記憶装置（記録媒体）」と、「メインメモリ」と、「ＣＰＵ」などから構成される。これらも「システムバス」１２０６などのデータ通信経路によって相互に接続され、情報の送受信や処理を行う。また、本例では報知文字情報出力制御プログラムも記憶装置に記憶されており、このプログラムも例えば電源投入とともに自動的に記憶装置から読み出されてメインメモリに常駐する。
【００５６】
まず、報知文字情報の保持に係るハードウェア構成について説明する。この場合、ＣＰＵは、放送受信装置外で生成された報知文字情報をＩ／Ｏを介して取得する。あるいはＣＰＵが自ら生成して取得してもよい。いずれの場合も報知文字情報は、非画像データであっても画像データであってもよい。また、上述のように、状況によって使い分けができるよう、複数の種類の報知文字情報を保持するようにしてもよい。複数の報知文字情報を保持する場合には、これらをファイルとして管理することが適切である。その際、それぞれのファイルに属性を与えてファイル管理を行うようにしてもよい。
取得した報知文字情報は、記憶装置に記憶される。
【００５７】
次に、報知文字情報を出力するための制御にかかるハードウェア構成の一例について説明する。ＣＰＵが異常信号を取得した場合には、ＣＰＵは、実施例１と同様の構成により、まず異常信号情報をメインメモリにいったん格納する。
次に、記憶装置に記憶されている報知文字情報をメインメモリに読み出していったん格納する。あるいは、複数の報知文字情報が属性を与えられて記憶されている場合には、記憶装置に記憶されメインメモリに読み出されているファイル管理情報を取得して、当該情報に含まれる属性情報に基づいて記憶装置に記憶されている複数の報知文字情報の中から該当するものをメインメモリに読み出して格納してもよい。
さらに、ＣＰＵは、報知文字情報出力制御プログラムの規定する手順に従い、報知文字情報をディスプレイに出力する。報知文字情報が圧縮された画像データの場合は、出力処理に先立って伸張処理が行われる。
【００５８】
報知文字情報の出力に際しては、スクリーンの焼付き現象防止のため、一定の短時間だけこれを表示した後その表示を消すようにしてもよいし、さらに一定の短時間表示した後、一定の短時間その表示を消し、さらに再び一定の短時間表示するというように表示と非表示の動作を繰り返してもよい。また、静止画がスライドショー形式にて表示される場合は、静止画の切り換わりに合わせて一定の短時間だけ報知文字情報を表示するようにしてもよい。これらの場合、ＣＰＵは、かかる動作を例えば内蔵する時計機能を利用して行う。
【００５９】
<処理の流れ>
図１３は、本実施例の放送受信装置における処理の流れの一例を示す図である。本実施例の処理の流れは、基本的に実施例１と共通する。ただし、本実施例における処理の流れは第一制御ステップＳ１３０３に続いて第二制御ステップＳ１３０７を有し、当該ステップは以下のサブステップを有する。
まず、報知文字情報の読出しステップＳ１３０８において、放送受信装置は、報知文字情報を読み出す。次に、報知文字情報の出力ステップＳ１３０９において、放送受信装置は、報知文字情報を出力する。なお、報知文字情報の出力ステップに先立って、報知文字情報の伸張ステップがあってもよい。
なお、以上の処理順序とは逆に、異常信号の取得があったか否かの判断ステップＳ１３０２における処理に続き、まず第二制御ステップにおける処理を行い、その後第一制御ステップにおける処理を行うようにしてもよい。
かかる処理により、報知文字情報をディスプレイに表示することが可能となる。
その余の処理の流れは、実施例１における処理の流れと共通するので説明を省略する。
【００６０】
<効果>
本実施例の発明により、放送受信装置において放送番組を表示できないときに静止画を表示するのと重畳して報知文字情報も表示することで、ユーザの注意を喚起することができる。
【図面の簡単な説明】
【００６１】
【図１】実施例１の放送受信装置の機能ブロックの一例を示す図
【図２】放送受信装置が異常信号を取得した場合にディスプレイに表示される表示画面の一例を示す図
【図３】実施例１の放送受信装置のハードウェア構成の一例を示す概略図
【図４】実施例１の放送受信装置における処理の流れの一例を示す図
【図５】実施例２の放送受信装置の機能ブロックの一例を示す図
【図６】実施例２の放送受信装置のハードウェア構成の一例を示す概略図
【図７】実施例２の放送受信装置における処理の流れの一例を示す図
【図８】実施例３の放送受信装置の機能ブロックの一例を示す図
【図９】実施例３の放送受信装置のハードウェア構成の一例を示す概略図
【図１０】実施例３の放送受信装置における処理の流れの一例を示す図
【図１１】実施例４の放送受信装置の機能ブロックの一例を示す図
【図１２】実施例４の放送受信装置のハードウェア構成の一例を示す概略図
【図１３】実施例４の放送受信装置における処理の流れの一例を示す図
【図１４】本発明の放送受信装置の目的及び全般的特徴を説明するための概念図
【図１５】従来の表示の一例を示す図
【符号の説明】
【００６２】
０１００      放送受信装置
０１１０      異常信号取得部
０１２０      静止画情報蓄積部
０１３０      映像情報出力部
１４００      放送受信装置
１４０１      衛星
１４０２      静止画情報
１４０３      記憶装置
１４０４      静止画
【図１】
2008193172.tif 000003
【図２】
2008193172.tif 000004
【図３】
2008193172.tif 000005
【図４】
2008193172.tif 000006
【図５】
2008193172.tif 000007
【図６】
2008193172.tif 000008
【図７】
2008193172.tif 000009
【図８】
2008193172.tif 000010
【図９】
2008193172.tif 000011
【図１０】
2008193172.tif 000012
【図１１】
2008193172.tif 000013
【図１２】
2008193172.tif 000014
【図１３】
2008193172.tif 000015
【図１４】
2008193172.tif 000016
【図１５】
2008193172.tif 000017